(57)【要約】      （修正有）【課題】振り出し動作による粉末状の内容物の流動を確実に発生させることができ、安定した振り出し動作が可能な振りかけ容器を提供する。【解決手段】内部空間１１ａおよび上端開口を有する有底筒状の容器本体１１と、容器本体の上端開口を全体として閉塞し、複数の振り出し孔１２ａが形成された孔付蓋部材と、を備え、容器本体の内部空間に粉末状の内容物が収納された状態で、容器本体が孔付蓋部材側に振り出し動作されるとき、内容物を振り出し孔から容器本体の外方に振り出すことができる振りかけ容器１０であって、孔付蓋部材の複数の振り出し孔が、それぞれ容器本体の特定の径方向に延びる縦長形状を有している。【選択図】図１
0003228651.tif 000002
【実用新案登録請求の範囲】
【請求項１】
内部空間および開口を有する有底筒状の容器本体と、
前記容器本体の開口を全体として閉塞する一方、複数の振り出し孔が形成された孔付蓋部材と、を備え、
前記容器本体の前記内部空間に粉末状の内容物が収納された状態で、該容器本体が前記孔付蓋部材側に振り出し動作されるとき、前記内容物を前記振り出し孔から前記容器本体の外方に振り出すことができる振りかけ容器であって、
前記孔付蓋部材の前記複数の振り出し孔が、それぞれ前記容器本体の特定の径方向に延びる縦長形状を有していることを特徴とする振りかけ容器。
【請求項２】
前記孔付蓋部材または前記容器本体にヒンジ結合された上蓋部材をさらに有しており、
前記上蓋部材は、前記複数の振りかけ孔上を覆う閉蓋状態と前記複数の振りかけ孔上を開放する開蓋状態とをとるよう、前記容器本体の前記特定の径方向に開閉可能であることを特徴とする請求項１に記載の振りかけ容器。
【請求項３】
前記容器本体の前記特定の径方向が、前記振りかけ動作時における前記容器本体の移動半径方向であることを特徴とする請求項１または２に記載の振りかけ容器。
【請求項４】
前記孔付蓋部材の前記複数の振りかけ孔が、互いに平行なスリット状をなしていることを特徴とする請求項１ないし３のいずれか一項に記載の振りかけ容器。
【請求項５】
前記孔付蓋部材が、前記複数の振りかけ孔の両側壁部同士を連結する連結部を有し、
該連結部が、前記容器本体の特定の径方向に対し略直交する方向に延びていることを特徴とする請求項４に記載の振りかけ容器。
【請求項６】
前記上蓋部材と前記孔付蓋部材または前記容器本体の少なくとも一部とが、可撓性の樹脂材料によって一体的に構成されたヒンジ結合部を有していることを特徴とする請求項２に記載の振りかけ容器。
【請求項７】
前記孔付蓋部材の前記複数の振り出し孔が、それぞれ前記容器本体の特定の径方向に対し略直交する横方向に互いに離間していることを特徴とする請求項１ないし６いずれか一項に記載の振りかけ容器。
【考案の詳細な説明】
【技術分野】
【０００１】
本考案は、振りかけ容器に関し、特に、予め内部に収容した内容物を必要量に応じて振り出して使用するのに好適な振りかけ容器に関する。
【背景技術】
【０００２】
小径の粒子が集まった粉末状や顆粒状その他の粉体類（粉粒体）、特に食材や調味料等を内容物として振り出し可能に収容する振りかけ容器が、従前より広く知られている。このような振りかけ容器は、必要量に応じて内容物を振り出し孔から振り出すことで、振りかけ対象上に散らしかけるようになっている。
【０００３】
また、小麦粉等の粉末状の内容物を収容する振りかけ容器においては、その内容物の性質上、細い振り出し孔を通して振り出そうとすると、振り出し孔付近で粉末状の内容物がそれ自体の圧力で固まり易く、目詰まりやダマを生じ易いため、振り出し孔が多孔になっているものが多い。
【０００４】
従来のこの種の振りかけ容器としては、例えば図７に示すように、透明な容器本体１０１の上部開口端側に格子状の網１０２を張った中蓋部材１０３を装着して、多数の振り出し孔を篩（ふるい）状に形成するとともに、中蓋部材１０３とこれに対し開閉可能にヒンジ結合された上蓋部材１０４とを樹脂で一体に成型したものがある（例えば、特許文献１参照）。
【先行技術文献】
【特許文献】
【０００５】
【特許文献１】実開昭６２−９３９３８号公報
【考案の概要】
【考案が解決しようとする課題】
【０００６】
しかしながら、上述のような従来の振りかけ容器にあっては、中蓋部材等に格子状の網１０２のような多孔の振り出し孔形成部材を一体に装着する構造となっていたため、個々の振り出し孔がその複数の径方向で同一径であるかそれに近いものとなっていた。そのため、振り出し孔近傍の内容物がそれ自体の圧力で振り出し孔を塞ぐように瞬間的に部分的に固まり易かった。そのため、振り出し動作の強さによっては、振りかけ容器内で振り出し孔に向かう粉末状の内容物の放射状の流動、例えばその流動可能領域内外の粉体の滑りやせん断等による移動（ずり）が生じ難くなり、広範な目詰まりによって正常な振り出し動作が困難になることがあった。
【０００７】
そこで、本考案は、振り出し動作による粉末状の内容物の流動を確実に発生させることができ、安定した振り出し動作が可能な振りかけ容器を提供することを目的としている。
【課題を解決するための手段】
【０００８】
本考案は、上記目的を達成するために、内部空間および開口を有する有底筒状の容器本体と、前記容器本体の開口を全体として閉塞する一方、複数の振り出し孔が形成された孔付蓋部材と、を備え、前記容器本体の前記内部空間に粉末状の内容物が収納された状態で、該容器本体が前記孔付蓋部材側に振り出し動作されるとき、前記内容物を前記振り出し孔から前記容器本体の外方に振り出すことができる振りかけ容器であって、前記孔付蓋部材の前記複数の振り出し孔が、それぞれ前記容器本体の特定の径方向に延びる縦長形状を有していることを特徴とする。
【０００９】
この構成により、本考案の振りかけ容器では、その容器本体が孔付蓋部材側に振り出し動作されるとき、個々の振り出し孔が複数の孔径方向で略同一径になることが有効に抑制される。また、複数の振り出し孔が、容器本体の特定の径方向である振り出し動作時における容器本体の移動半径方向に広がる配置形態をとり得ることで、粉末状の内容物の流動、例えば振り出し方向へのせん断による粉体の移動（ずり）が生じ易くなる。その結果、振り出し動作による粉末状の内容物の流動を確実に発生させることができ、安定した振り出し動作が可能な振りかけ容器を提供可能となる。
【００１０】
本考案の好ましい実施形態においては、前記孔付蓋部材または前記容器本体にヒンジ結合された上蓋部材をさらに有しており、前記上蓋部材は、前記複数の振り出し孔上を覆う閉蓋状態と前記複数の振り出し孔上を開放する開蓋状態とをとるよう、前記容器本体の前記特定の径方向に開閉可能である構成とすることができる。
【００１１】
また、本考案の好ましい実施形態においては、前記容器本体の前記特定の径方向が、前記振り出し動作時における前記容器本体の移動半径方向である構成とすることができる。この場合、複数の振り出し孔のそれぞれで、振り出し動作による粉末状の内容物のせん断流れを助長できることになり、安定した振り出し動作が可能になる。
【００１２】
本考案の好ましい実施形態においては、前記孔付蓋部材の前記複数の振り出し孔が、互いに平行なスリット状をなしている構成とすることができ、それぞれ前記容器本体の特定の径方向に対し略直交する横方向に互いに離間していてもよい。さらに、前記孔付蓋部材が、前記複数の振り出し孔の両側壁部同士を連結する連結部を有し、該連結部が、前記容器本体の特定の径方向に対し略直交する方向に延びている構成とすることもできる。
【００１３】
前記上蓋部材と前記孔付蓋部材または前記容器本体の少なくとも一部とが、可撓性の樹脂材料によって一体的に構成されたヒンジ結合部を有している構成としてもよい。
【考案の効果】
【００１４】
本考案によれば、容器本体の振り出し動作時に粉末状の内容物の振り出し方向への流動を確実に発生させることができ、安定した振り出し動作が可能な振りかけ容器を提供することができる。
【図面の簡単な説明】
【００１５】
【図１】本考案の一実施形態に係る振りかけ容器の開蓋状態の概略斜視図である。
【図２】本考案の一実施形態に係る振りかけ容器の上部側から見たその開蓋状態の斜視図である。
【図３】本考案の一実施形態に係る振りかけ容器の下部側から見たその開蓋状態の斜視図である。
【図４】本考案の一実施形態に係る振りかけ容器の開蓋状態における要部拡大斜視図である。
【図５】本考案の一実施形態に係る振りかけ容器の開蓋状態における要部拡大平面図である。
【図６】（ａ）は本考案の一実施形態に係る振りかけ容器の上蓋部材の閉蓋状態における孔付中蓋部材近傍の側面断面図であり、（ｂ）は上蓋部材の開蓋途中状態における孔付中蓋部材近傍の側面断面図である。
【図７】は、従来例の説明図である。
【考案を実施するための形態】
【００１６】
以下、本考案を実施するための形態について、図面を参照しつつ説明する。
【００１７】
（一実施形態）
図１ないし図６は、本考案の一実施形態に係る振りかけ容器１０を示している。
【００１８】
図１ないし図３に示すように、本実施形態の振りかけ容器１０は、人の手で把持可能な有底筒状の容器本体１１と、その容器本体１１の開口端側を概ね閉塞する蓋形状をなすとともに複数の振り出し孔１２ａが形成された半透明もしくは不透明な孔付蓋部材１２と、孔付蓋部材１２に対しあるいは容器本体１１に対して複数の振り出し孔１２ａを外方から閉塞および開放する方向に回動するようヒンジ結合された上蓋部材１３とを具備している。
【００１９】
図１ないし図６に示すように、容器本体１１は、有底の筒状、例えば略多角筒状のもので、その内部空間１１ａに図示しない粉末状の内容物が収納されるようになっている。この容器本体１１は、図示するような略四角筒状に限定されず、また固定形状でなく、可撓性のチューブや袋等のように変形可能なものでもよい。また、容器本体１１は、把手付きのものでもよい。
【００２０】
この容器本体１１は、図１ないし図３に示すように透明なもしくは半透明の素材からなる有底筒状体であるが、内容物の残量を外方から視認可能な窓や光透過部と不透明な筒状体部とを併有するものであってもよく、あるいは、全体的に不透明な素材からなり内容物の残量を外方から視認できない有底筒状体であってもよい。
【００２１】
また、容器本体１１および孔付蓋部材１２は、少なくとも図５に示す平面上の複数の角部がそれぞれ所定曲率半径で円曲しており、容器本体１１の開口端側となる上部１１ｂは、略四角形状の上端開口１１ｃを形成する内面形状を有する一方、孔付蓋部材１２の内部に挿入および突き当て可能な段付きの外面１１ｄ（図６（ｂ）参照）を有している。
【００２２】
図４ないし図６に示すように、孔付蓋部材１２は、容器本体１１の上端開口１１ｃを全体として閉塞するよう容器本体１１の上部１１ｂに装着されている。具体的には、孔付蓋部材１２は、容器本体１１の上部１１ｂに対して、例えば印ろう結合、スナップ結合その他の凹凸嵌合（例えば図３参照）、ねじ結合等により着脱可能に結合されるか、あるいは、接着や溶着等により一体に結合されている。
【００２３】
孔付蓋部材１２は、例えば複数の振り出し孔１２ａが形成されたプラッスチック製の固定形状物とするが、全体的にあるいは部分的に弾性変形可能なものであってもよく、弾性変形可能な素材を含む複数種の素材で構成されたものであってもよい。
【００２４】
また、孔付蓋部材１２は、容器本体１１の内部空間１１ａに粉末状の内容物が収納された状態で、容器本体１１が孔付蓋部材１２側に振り出し動作されるとき、容器本体１１との一体性を十分に保持できる程度に容器本体１１に結合されていればよい。
【００２５】
ここで、容器本体１１が孔付蓋部材１２側に振り出し動作されるとは、振りかけ容器１０が孔付蓋部材１２の上面を鉛直方向下方側に傾けるようそれ自体の姿勢（図１中の鉛直姿勢からの傾斜）を変化させる自転的な第１の運動と、振りかけ容器１０が孔付蓋部材１２の上面を振り出し方向に突き出すように移動する公転的なあるいは直線的な第２の運動とのうち少なくとも一方を生じるように動かされ、その動きの減速または停止時に容器本体１１内の粉末状の内容物を慣性および重力により粉体流動させて、孔付蓋部材１２の複数の振り出し孔１２ａから外方に排出および飛散させることにより、振りかけ対象物上に散らしかけることができるようにすることをいう。
【００２６】
振りかけ容器１０は、容器本体１１の内部空間１１ａに粉末状の内容物が予め収納された状態で容器本体１１と孔付蓋部材１２が一体不可分に結合されているか、あるいは、内部空間１１ａ中に粉末状の内容物を補充できるように、容器本体１１に対し孔付蓋部材１２が着脱可能になっている。
【００２７】
図４ないし図６に示すように、孔付蓋部材１２の複数の振り出し孔１２ａは、それぞれ容器本体１１の特定の径方向である図２中のＸ方向に延びる縦長形状を有するとともに、Ｘ方向と直交する図２中のＹ方向すなわち横方向に互いに離間するように並列することで、粉末状の内容物を振り出し可能な振り出し口領域１２ｂを形成している。もっとも、振り出し口領域１２ｂ内の複数の振り出し孔１２ａは、図示形状に限定されるものではなく、部分的に相互接続するよう交差したり折り返されたりしていてもよい。
【００２８】
図５に示すように、孔付蓋部材１２の複数の振り出し孔１２ａは、それぞれＸ方向に所定の長さおよび幅を有する平行なスリット状をなしており、孔付蓋部材１２は、Ｘ方向の中間位置で複数の振り出し孔１２ａの両側壁部１２ｃ同士を連結する連結部１２ｄを有している。この連結部１２ｄは、すべての振り出し孔１２ａの両側壁部１２ｃを一体に連結するよう、振り出し口領域１２ｂの全域を横断しつつ容器本体１１のＹ方向（Ｘ方向に対し略直交する方向）に延びている。
【００２９】
具体的には、容器本体１１の特定の径方向であるＸ方向は、振りかけ容器１０から内容物の粉体または粉粒体を振り出すための手動操作に伴う孔付蓋部材１２の自転的な回動の半径方向あるいは容器本体１１の公転的な移動の半径方向か、それに近い（当該半径方向に対する交差角が専ら４５度未満となる）方向となっている。
【００３０】
上蓋部材１３は、孔付蓋部材１２または容器本体１１に対してＸ方向の一方側（図５および図６における右方側）にヒンジ結合されており、この上蓋部材１３が、図６（ａ）に示すように孔付蓋部材１２の複数の振り出し孔１２ａ上を覆う閉蓋状態と、図１ないし図５および図６に示すように複数の振り出し孔１２ａ上を開放する開蓋状態とをとるように、特定の径方向に開閉可能になっている。
【００３１】
孔付蓋部材１２と上蓋部材１３とをヒンジ結合するヒンジ結合部１４は、例えば容器本体１１の高さ方向（図２中のＺ方向）の所定位置に配置されている。
【００３２】
このヒンジ結合部１４は、孔付蓋部材１２から容器本体１１の特定の径方向の一方側に所定板幅で突出するとともに突出量が増すほど板厚が小さくなっている一対の固定側のヒンジ板１４ａと、図１に示す全開姿勢の上蓋部材１３から孔付蓋部材１２に向かって特定の径方向の他方側に所定板幅で突出するとともに突出量が増すほど板厚が小さくなる一対の可動側のヒンジ板１４ｂと、両ヒンジ板１４ａ，１４ｂをそれぞれ薄肉で一体結合した可撓性結合部１４ｃとを有している。
【００３３】
また、ヒンジ結合部１４は、固定側および可動側のヒンジ板１４ａ、１４ｂの間に位置しつつ、孔付蓋部材１２に対して上蓋部材１３を所定の姿勢に付勢するばね要素１４ｄを有している。このばね要素１４ｄは、例えば孔付蓋部材１２および上蓋部材１３のそれぞれに対して特定の径方向に回動可能に連結された曲がり板ばね状のもので、上蓋部材１３を閉蓋姿勢と全開姿勢側に付勢可能な反転ばね機能を有している。
【００３４】
さらに、本実施形態では、ヒンジ結合部１４は、孔付蓋部材１２または容器本体１１の少なくとも一部に対し、上蓋部材１３を可撓性の樹脂材料によって一体的にかつ開閉可能に連結する構成となっている。
【００３５】
容器本体１１のＸ方向の他方側（図５および図６における左方側）には、孔付蓋部材１２と上蓋部材１３とを弾性変形可能な範囲内で径方向に凹凸嵌合させて閉蓋姿勢にロックするスナップロック部１５と、スナップロック部１５のロックおよびアンロック操作できるよう上蓋部材１３から容器本体１１の特定の径方向の他方側に突出する操作爪部１６とが設けられている。
【００３６】
図６（ａ）および図６（ｂ）に示すように、複数の振り出し孔１２ａの両側壁部１２ｃは、それぞれのＸ方向の両端側で下方側に曲がっており、連結部１２ｄは、そのＹ方向の両端側で下方側に曲がっている。一方、孔付蓋部材１２の振り出し口領域１２ｂの外周淵部１２ｅは、複数の振り出し孔１２ａの両側壁部１２ｃおよび連結部１２ｄの両端部を下方側から支持するように下方側に下がっており、振り出し口領域１２ｂの周囲に上面側に開く略四角形の環状凹部１２ｆが形成されている。
【００３７】
また、上蓋部材１３の内面側には、孔付蓋部材１２の環状凹部１２ｆに浅く嵌入される略四角形の環状凸部１３ｇが突設されており、上蓋部材１３の閉蓋状態において、孔付蓋部材１２の振り出し口領域１２ｂが上蓋部材１３によって確実に閉止されるようになっている。
【００３８】
次に、作用について説明する。
【００３９】
上述のように構成された本実施形態の振りかけ容器１０においては、孔付蓋部材１２の複数の振り出し孔１２ａが、それぞれ容器本体１１のＸ方向に延びる縦長形状を有するとともに、横方向であるＹ方向に互いに離間している。したがって、振りかけ容器１０の容器本体１１が孔付蓋部材１２側に振り出し動作されるとき、個々の振り出し孔１２ａがＸ−Ｙ平面上の複数の孔径方向で略同一径になることが有効に抑制される。
【００４０】
また、複数の振り出し孔１２ａが、容器本体１１の特定の径方向であるＸ方向、すなわち振り出し動作時における容器本体１１の自転的な回動方向や公転的な移動半径方向に広がる配置形態となっているので、粉末状の内容物の流動、例えば振り出し方向へのせん断による粉体の移動（ずり）が生じ易くなる。その結果、振りかけ容器１０の振り出し動作による粉末状の内容物の流動を確実に発生させることができ、安定した振り出し動作が可能となる。
【００４１】
しかも、本実施形態においては、振りかけ容器１０の上蓋部材１３が、孔付蓋部材１２または容器本体１１にヒンジ結合された状態で、複数の振り出し孔１２ａ上を覆う閉蓋状態と複数の振り出し孔１２ａ上を開放する開蓋状態をとるようＸ方向に回動する。したがって、容器本体１１が振り出し動作されるとき、上蓋部材１３が振り出し方向後方側となることで、複数の振り出し孔１２ａが、容器本体１１の自転的な回動方向や公転的な移動半径方向に延びたものとなる。
【００４２】
そして、容器本体１１の特定の径方向が、振り出し動作時における容器本体１１の移動半径方向となることで、複数の振り出し孔１２ａのそれぞれで、振り出し動作による粉末状の内容物のせん断流れや部分的目詰まりを崩壊させる流れが助長されることになる。
【００４３】
さらに、本実施形態では、孔付蓋部材１２の複数の振り出し孔１２ａが、互いに平行なスリット状をなしているので、各振り出し孔１２ａ付近における粉末状の内容物のせん断流れや部分的目詰まりを崩壊させる流れ等をより助長できる。
【００４４】
加えて、本実施形態では、複数の振り出し孔１２ａの両側壁部１２ｃ同士を連結する連結部１２ｄを有し、その連結部１２ｄが、容器本体１１のＸ方向（特定の径方向）に対し略直交するＹ方向に延びているので、複数の振り出し孔１２ａおよび両側壁部１２ｃの長さを十分に確保しながらも、これら複数の側壁部１２ｃを連結部１２ｄによって補強し、複数の振り出し孔１２ａの所要の形状精度を保持することができる。
【００４５】
加えて、本実施形態では、上蓋部材１３と孔付蓋部材１２または容器本体１１の少なくとも一部とが、可撓性の樹脂材料によって一部品であるヒンジ結合部１４の対応する部分として互いに一体に構成されている。したがって、部品点数を抑えるとともに、上蓋部材１３の開閉方向と複数の振り出し孔１２ａの延在方向とを確実に精度よく設定可能となる。
【００４６】
このように、本実施形態においては、容器本体１１の振り出し動作時に粉末状の内容物の振り出し方向への流動を確実に発生させることができ、安定した振り出し動作が可能な振りかけ容器１０を提供することができる。
【００４７】
なお、上述の一実施形態においては、孔付蓋部材１２の複数の振り出し孔１２ａが、孔付蓋部材１２の中央側に振り出し口領域１２ｂを形成するものとして例示されていたが、複数の振り出し孔１２ａが孔付蓋部材１２に対して特定の径方向における振り出し方向側に偏倚して配置されたり、孔付蓋部材１２の外周近傍にまで拡張されたりしてもよいことはいうまでもない。また、振り出し口領域１２ｂは、複数の振り出し孔１２ａは、複数の両側壁部１２ｃおよび連結部１２ｄによって全体的に曲率半径の大きい突球面形状あるは突円曲壁面をなしていてもよい。さらに、上蓋部材１３が、ヒンジ部１４により開閉するものに限らず、孔付蓋部材１２に対して特定の径方向にスライドするものや孔付蓋部材１２の外周部にねじ結合するものであってもよいのも勿論である。
【産業上の利用可能性】
【００４８】
以上のとおり、本考案は、容器本体の振り出し動作時に粉末状の内容物の振り出し方向への流動を確実に発生させることができ、安定した振り出し動作が可能な振りかけ容器を提供することができるものであり、予め内部に収容した内容物を必要量に応じて振り出して使用するのに好適な振りかけ容器全般に有用である。
【符号の説明】
【００４９】
１０  振りかけ容器
１１  容器本体
１１ａ  内部空間
１１ｂ  上部
１１ｃ  上端開口
１１ｄ  外面
１２  孔付蓋部材
１２ａ  振り出し孔
１２ｂ  振り出し口領域
１２ｃ  側壁部（両側壁部）
１２ｄ  連結部
１２ｅ  外周淵部
１２ｆ  環状凹部
１３  上蓋部材
１３ｇ  環状凸部
１４  ヒンジ結合部
１４ａ、１４ｂ  ヒンジ板
１４ｃ  可撓性結合部
１４ｄ  ばね要素
１５  スナップロック部
１６  操作爪部
【図１】
0003228651.tif 000003
【図２】
0003228651.tif 000004
【図３】
0003228651.tif 000005
【図４】
0003228651.tif 000006
【図５】
0003228651.tif 000007
【図６】
0003228651.tif 000008
【図７】
0003228651.tif 000009